(57)【要約】【課題】強度が強く、位置の固定性が高く、しかも、簡単な構造である仕切り部材を提供する。【解決手段】紙のシートＳを折って形成される仕切り部材１０であって、シートＳには、十字状の仕切壁を形成するために、第１山折線１ａ、一対の第１谷折線１ｂ，１ｂ、第２山折線２ａおよび一対の第２谷折線２ｂ，２ｂが形成されており、一対の第１谷折線１ｂ，１ｂおよび一対の第２谷折線２ｂ，２ｂに囲まれ他部分には、一対の連結片３，３を形成するために、第２山折線２ａに沿って伸びた長穴４と、一対の第２谷折線２ｂ，２ｂに沿って一対の切れ込み５，５とが形成されており、一対の連結片３，３は、シートＳを折ると、第１山折線１ａを挟む部分の間に形成される隙間に、折り畳まれた状態で収容しうる形状に形成されている。【選択図】図１
0003139506.tif 000002
【実用新案登録請求の範囲】
【請求項１】
紙のシートを折って形成される仕切り部材であって、
前記シートには、
第１山折線と、
該第１山折線と平行であって、該第１山折線を挟みかつ該第１山折線から等距離となるように設けられた一対の第１谷折線と、
前記第１山折線と互いに直交する第２山折線と、
該第２山折線と平行であって、該第２山折線を挟みかつ該第２山折線から等距離となるように設けられた一対の第２谷折線と、
前記一対の第１谷折線間に、前記第２山折線に沿って伸びた長穴と、
前記一対の第１谷折線間に、前記一対の第２谷折線に沿って伸びた一対の切れ込みとが形成されており、
前記一対の第１谷折線間における前記一対の切れ込みと前記長穴との間には、一対の連結片が形成されており、
該一対の連結片には、前記第１山折線に沿って、それぞれ中間山折線が形成されており、
該一対の連結片は、
該シートを、前記第１山折線、前記第２山折線および前記一対の連結片の中間山折線で山折りし、かつ、前記一対の第１谷折線および前記一対の第２谷折線で谷折りすると、前記第１山折線を挟む部分の間に形成される隙間に、折り畳まれた状態で収容しうる形状に形成されている
ことを特徴とする仕切り部材。
【請求項２】
前記一対の連結片は、
その幅が、前記一対の第１谷折線から前記中間山折線に向かうに従って幅が狭くなるように形成されている
ことを特徴とする請求項１記載の仕切り部材。
【請求項３】
前記一対の連結片において、前記中間山折線近傍における前記長穴側の端縁は、曲線状に形成されている
ことを特徴とする請求項２記載の仕切り部材。
【請求項４】
前記一対の連結片は、
前記一対の第１谷折線に沿って、前記長穴側の端縁および前記切れ込み側の端縁を残して切れ込みが形成されている
ことを特徴とする請求項１、２または第３記載の仕切り部材。
【考案の詳細な説明】
【技術分野】
【０００１】
本考案は、仕切り部材に関する。さらに詳しくは、弁当や仕出し等において、食品を入れる空間を仕切るために使用される仕切り部材に関する。
【背景技術】
【０００２】
弁当等において、おかずの食品同士が触れると味や色が移って見栄えや味が悪くなる場合がある。そこでかかる色移り等を防ぐために、食品同士の間にバレン等の仕切りを入れることが行なわれており、種々の仕切りが開発されている（例えば、特許文献１〜３）。
また、かかる仕切りは、箱内に商品を並べて入れるときに、商品をきれいに配置するためにも使用されている。
【０００３】
しかるに、従来の仕切りは、食品等の間に配置すれば仕切ることはできるものの、その強度が弱いものや位置の固定が難しいものが多い。すると、弁当等の製造時にはきれいに仕切れていても、運搬時などに仕切りが変形したり位置がずれたりして、食品等同士が接触したり食品の配置が崩れたりするなどの問題が生じている。
強度を強くしたり位置の固定性を向上させた仕切りも開発されているが、複数の部品を使用したり、高価な材料を使用しなければならないという問題がある。  
【０００４】
【特許文献１】実用登録新案３０９７３１６号
【特許文献２】実用登録新案３１０３６５０号
【特許文献３】実用登録新案３１２０６０５号
【考案の開示】
【考案が解決しようとする課題】
【０００５】
本考案は上記事情に鑑み、強度が強く、位置の固定性が高く、しかも、簡単な構造である仕切り部材を提供することを目的とする。
【課題を解決するための手段】
【０００６】
第１考案の仕切り部材は、紙のシートを折って形成される仕切り部材であって、前記シートには、第１山折線と、該第１山折線と平行であって、該第１山折線を挟みかつ該第１山折線から等距離となるように設けられた一対の第１谷折線と、前記第１山折線と互いに直交する第２山折線と、該第２山折線と平行であって、該第２山折線を挟みかつ該第２山折線から等距離となるように設けられた一対の第２谷折線と、前記一対の第１谷折線間に、前記第２山折線に沿って伸びた長穴と、前記一対の第１谷折線間に、前記一対の第２谷折線に沿って伸びた一対の切れ込みとが形成されており、前記一対の第１谷折線間における前記一対の切れ込みと前記長穴との間には、一対の連結片が形成されており、該一対の連結片には、前記第１山折線に沿って、それぞれ中間山折線が形成されており、該一対の連結片は、該シートを、前記第１山折線、前記第２山折線および前記一対の連結片の中間山折線で山折りし、かつ、前記一対の第１谷折線および前記一対の第２谷折線で谷折りすると、前記第１山折線を挟む部分の間に形成される隙間に、折り畳まれた状態で収容しうる形状に形成されていることを特徴とする。
第２考案の仕切り部材は、第１考案において、前記一対の連結片は、その幅が、前記一対の第１谷折線から前記中間山折線に向かうに従って幅が狭くなるように形成されていることを特徴とする。
第３考案の仕切り部材は、第２考案において、前記一対の連結片は、前記一対の第１谷折線に沿って、前記長穴側の端縁および前記切れ込み側の端縁を残して切れ込みが形成されていることを特徴とする。
第４考案の仕切り部材は、第１、第２または第３考案において、前記一対の連結片は、前記一対の第１谷折線に沿って、前記長穴側の端縁および前記切れ込み側の端縁を残して切れ込みが形成されていることを特徴とする。
【考案の効果】
【０００７】
第１考案によれば、各山折線、各谷折線で折り曲げれば、各山折線を挟む部分によって形成された十字状の仕切りを有する仕切り部材を形成することができる。しかも、一対の連結片が第１山折線の両側に位置する部分の間に収容されるので、第１山折線の両側に位置する部分によって形成された仕切りの強度を強くすることができる。また、折り曲げられた一対の連結片は、紙の弾性力によって伸びようとするので、一対の連結片によって、該一対の連結片が収容されている山折部分を広げる力が発生する。すると、弁当箱等に仕切り部材を入れれば、山折部分を広げる力によって仕切り部材の外縁が弁当箱等の内壁に押し付けられるから、仕切り部材が弁当箱等に固定され、位置ずれが生じることを防ぐことができる。そして、一枚のシートに折り目、切り込み及び長穴を形成し、シートを折り曲げるだけで形成できるので、部品点数も少なくなり、仕切り部材の製造コストを低減することができる。
第２考案によれば、一対の連結片を第１山折線の両側に位置する部分の間に容易に収容させることができる。
第３考案によれば、一対の連結片を第１山折線の両側に位置する部分の間に収容させるときにおける抵抗を少なくすることができる。
第４考案によれば、一対の連結片を第１山折線の両側に位置する部分の間に収容させるときにおける抵抗を少なくすることができる。
【考案を実施するための最良の形態】
【０００８】
つぎに、本考案の実施形態を図面に基づき説明する。
図１はシートＳの展開図である。図２はシートＳを折っている状況の説明図である。図３は（Ａ）はシートＳを折って形成された仕切り部材１０の概略斜視図であり、（Ｂ）は仕切り部材１０を弁当箱ＬＢに入れた状態の平面図である。
なお、各図には、対応する部分に同一のハッチングが施されている。このハッチングは断面を意味するのではなく、各図の互いに対応する部分を分かり易くするために設けているものである。
【０００９】
本実施形態の仕切り部材１０は、シートＳを折って形成された部材であって、図３に示すように、一対の第１仕切壁１１，１１と、この一対の第１仕切壁１１，１１と直交する一対の第２仕切壁１２，１２とを有している。
一対の第１仕切壁１１，１１は、その上端縁がほぼ同一線上に位置するように配設されており、一対の第２仕切壁１２，１２も、その上端縁がほぼ同一線上に位置するように配設されている。つまり、仕切り部材１０には、一対の第１仕切壁１１，１１および一対の第２仕切壁１２，１２によって十字状の仕切壁が形成されているのである。
また、隣接する第１仕切壁１１の下端と第２仕切壁１２，１２の下端との間には、両者を連結する４つの底板１３を有している。
【００１０】
以上のごとき形状を有するので、図３（Ｂ）に示すように、仕切り部材１０を弁当箱ＬＢ等の内部に入れれば、４つの第１仕切壁１１，１２によって弁当箱ＬＢ等の内部を４つの室に分割することができる。
しかも、隣接する第１仕切壁１１と第２仕切壁１２とが４つの底板１３によって連結されているので、仕切り部材１０の外周縁、つまり、４つの底板１３の外縁が弁当箱ＬＢ等の内壁に接するように配置すれば、第１仕切壁１１，１２の位置がズレることを防ぐことができる。
【００１１】
上記のごとき本実施形態の仕切り部材１０は、一枚のシートＳを折って形成されたことに特徴を有している。
以下、図１に基づいてシートＳについて説明する。
なお、説明の便宜上、図１の上下方向をシートＳの上下方向、また、図１の左右方向をシートＳの左右方向として説明する。
【００１２】
図１に示すように、シートＳは略正方形に形成された紙製のシートである。
なお、シートＳの素材となる紙は、折ったときに若干の弾性力を発生するものが好ましいが、コート紙等の折り目を付けることができる紙全般を使用できる。
さらになお、シートＳの形状はとくに限定されず、略正方形以外にも、長方形等でもよい。
【００１３】
図１に示すように、シートＳには、その上下方向に沿って第１山折線１ａが形成されている。この第１山折線１ａの左右両側には、第１山折線１ａを挟むように一対の第１谷折線１ｂ，１ｂが形成されている。この一対の第１谷折線１ｂ，１ｂは、いずれも第１山折線１ａと平行であって、第１山折線１ａから等距離Ｌ１となるように形成されている。
なお、第１山折線１ａと一対の第１谷折線１ｂ，１ｂで挟まれた部分は、仕切り部材１０の一対の第１仕切壁１１，１１となる部分である。以下、この部分を第１仕切壁形成部Ｓ１という。
【００１４】
また、図１に示すように、シートＳには、左右方向に沿って、つまり、前記第１山折線１ａと直交する方向に沿って第２山折線２ａが形成されている。この第２山折線２ａの上下両側には、一対の第２谷折線２ｂ、２ｂが形成されている。この一対の第２谷折線２ｂ，２ｂは、いずれも前記第２山折線２ａと平行であって、かつ、第２山折線２ａと等距離Ｌ２となるように形成されている。
【００１５】
なお、第２山折線２ａと一対の第２谷折線２ｂ，２ｂによって挟まれた部分が、仕切り部材１０の一対の第２仕切壁１２，１２となる部分である。以下、この部分を第２仕切壁形成部Ｓ２という。なお、各図における第２仕切壁形成部Ｓ２の部分には、斜めハッチングを施している。
さらになお、シートＳの角部外周縁、第２谷折線１ｂ、および第２谷折線２ｂに囲まれた４領域が、仕切り部材１０の４つの底板１３となる部分である。以下、この部分を底板形成部Ｓ３という。
【００１６】
図１に示すように、一対の第１谷折線１ｂ，１ｂおよび一対の谷折線２ｂ，２ｂによって囲まれた部分の中央には、長穴４が形成されている。この長穴４は、一対の第１谷折線１ｂ，１ｂ間に第２山折線２ａに沿って形成されている。
また、一対の第１谷折線１ｂ，１ｂ間には、両者をつなぐように前記一対の第２谷折線２ｂ，２ｂに沿って一対の切り込み５，５が形成されている。
【００１７】
そして、前記長穴４と、一対の切り込み５，５に挟まれた部分（ドット状のハッチングが施されてる部分）には、一対の連結片３，３が形成されている。この一対の連結片３，３は、その左右方向の両端が一対の第１谷折線１ｂ，１ｂの部分において第２仕切壁形成部Ｓ２に連結されている。つまり、一対の連結片３，３は一対の第２谷折線２ｂ，２ｂをつなぐように、言い換えれば、第２仕切壁形成部Ｓ２をつなぐように形成されているのである。
また、一対の連結片３，３には、前記第１山折線１ａに沿って中間山折線３ａがそれぞれ形成されている。
【００１８】
以上のごときシートＳにおいて、第１山折線１ａ、第２山折線２ａ、一対の中間線３ａ，３ａに沿った山折りと、一対の第１谷折線１ｂ，１ｂ、一対の第２谷折線２ｂ，２ｂに沿った谷折りを同時に行う。
すると、図２に示すように、４つの底板形成部Ｓ３を同一平面に維持しつつ、第１仕切壁形成部Ｓ１と第２仕切壁形成部Ｓ２を、第１山折線１ａおよび第２山折線２ａの部分を頂点とする山形に盛り上がらせることができる。
【００１９】
このとき、一対の連結片３，３は中間山折線３ａを頂点として折れ曲がるのであるが、一対の連結片３，３の両端が第２仕切壁形成部Ｓ２と連結されているので、各連結片３は、底板形成部Ｓ３に対して傾きながら外方に位置する第１仕切壁形成部Ｓ１に向かって折れ曲がる（図２）。このため、各連結片３は、第１仕切壁形成部Ｓ１が山形に盛り上がったことによって形成された第１仕切壁形成部Ｓ１の下方の空間に侵入する。
【００２０】
さらにシートＳを折り曲げていくと、連結片３を挟んで位置する第１仕切壁形成部Ｓ１同士、および、連結片３を挟んで位置する第２仕切壁形成部Ｓ２同士が互いに接近する。すると、第１、第２仕切壁形成部Ｓ１，Ｓ２が形成する山形が鋭くなるとともに、各連結片３の第１仕切壁形成部Ｓ１の下方の空間への侵入量も増加する。
【００２１】
そして、第１仕切壁形成部Ｓ１と底板形成部Ｓ３とのなす角、および、第２仕切壁形成部Ｓ２と底板形成部Ｓ３とのなす角がほぼ直角になると、各連結片３は第１仕切壁形成部Ｓ１の下方の空間に完全に収容され、図３に示すように、一対の第１仕切壁１１，１１と一対の第２仕切壁１２，１２を有する仕切り部材１０が形成される。
【００２２】
なお、第１山折線１ａから一対の第１谷折線１ｂ，１ｂまでの距離Ｌ１と、第２山折線２ａから一対の第２谷折線２ｂ，２ｂまでの距離Ｌ２とを同じ長さとしておけば、一対の第１仕切壁１１，１１と一対の第２仕切壁１２，１２の高さを同じ高さにすることができるが、距離Ｌ１と距離Ｌ２は異なる長さとしてもよい。
【００２３】
また、上述したように、一対の連結片３，３は、第２仕切壁形成部Ｓ２と連結された状態で、かつ、シートＳを折り曲げると、第１仕切壁形成部Ｓ１の間に侵入し収容されるように構成されている。
このため、シートＳを折り曲げたときに、連結片３に案内されて第１仕切壁形成部Ｓ１と第２仕切壁形成部Ｓ２とが自動的に接近し、仕切壁１１，１２を十字状に配置することができる。
また、一対の連結片３，３が第２仕切壁形成部Ｓ２と連結されているので、仕切壁１１，１２が側方に倒れようとすると、連結片３が抵抗になる。よって、一対の第１仕切壁１１，１１と一対の第２仕切壁１２，１２を十字状のまま維持させることができる。つまり、一対の第１仕切壁１１，１１と一対の第２仕切壁１２，１２の相対的な位置を一対の連結片３，３によって位置決めすることもできる。
さらに、連結片３は、一対の第１仕切壁１１，１１の強度保持部材としても機能するから、一対の第１仕切壁１１，１１の側方への折れ曲がりに対する強度を強くすることができる。
【００２４】
さらた、シートＳの素材となる紙はある程度の弾性力を有しているから、折り曲げられた一対の連結片３，３は、第１仕切壁形成部Ｓ１の間に収容された状態でも弾性力によって伸びようとする。すると、一対の連結片３，３によって第１仕切壁形成部Ｓ１を広げようとする力が発生するから、弁当箱ＬＢ等に仕切り部材１０を入れれば、第１仕切壁形成部Ｓ１を広げようとする力によって仕切り部材１０の外周縁が弁当等の内壁に押し付けられる。よって、仕切り部材１０が弁当箱ＬＢ等に固定されるので、仕切り部材１０の位置ずれが生じることを防ぐことができる。
【００２５】
そして、仕切り部材１０は、一枚のシートＳに各折り目や切り込み５、長穴４を形成してそのシートＳを折り曲げるだけで形成できるので、部品点数も少なくなり、製造コストを低減することができる。
【００２６】
なお、一対の連結片３，３の形状は、シートＳを折ったときに第１仕切壁形成部Ｓ１の間に収容できる形状であればとくに制限されないが、その幅が、一対の第１谷折線１ａから中間山折線３ａに向かうに従って幅が狭くなるように形成されていれば、シートＳを折ったときに一対の連結片３，３を第１仕切壁形成部Ｓ１の間に容易に収容させることができる。一例としては、図１に示すように、中間山折線３ａ近傍における長穴４側の端縁が、曲線状、例えば、第１谷折線１ｂと第２谷折線２ｂとの交点を中心とする円弧状に形成された場合を挙げることができる。
【００２７】
さらになお、連結片と第２仕切壁形成部Ｓ２との間に、一対の第１谷折線１ｂ，１ｂに沿って、長穴４側の端縁および切れ込み５側の端縁を残して切れ込み６を形成すれば、連結片３と第２仕切壁形成部Ｓ２との連結部分を変形し易くすることができる。すると、シートＳを折り曲げて収容させるときの抵抗を少なくすることができるから、シートＳから仕切り部材１０を形成するときに、その作業をより容易にすることができる。
【産業上の利用可能性】
【００２８】
本考案の仕切り部材は、弁当や仕出し、ケーキ、チョコレート等の食品を収容する箱の内部を仕切る部材や、その他の小分けして詰められる商品を収容する箱の内部を仕切る部材、また、宝箱等の複数の物品を整理して入れる箱の内部を仕切る部材に適している。
【図面の簡単な説明】
【００２９】
【図１】シートＳの展開図である。
【図２】シートＳを折っている状況の説明図である。
【図３】（Ａ）はシートＳを折って形成された仕切り部材１０の概略斜視図であり、（Ｂ）は仕切り部材１０を弁当箱ＬＢに入れた状態の平面図である。
【符号の説明】
【００３０】
１ａ        第１山折線
１ｂ        第１谷折線
２ａ        第２山折線
２ｂ        第２谷折線
３          連結片
３ａ        中間山折線
４          長穴
５          切り込み
６          切り込み
１０          仕切り部材
Ｓ          シート
【図１】
0003139506.tif 000003
【図２】
0003139506.tif 000004
【図３】
0003139506.tif 000005